(57)【要約】【課題】有料道路を走行する車両に乗車した利用者および有料道路の特定エリアのみで有料放送サービスを視聴できる放送受信システム、放送受信方法および放送受信端末装置を提供する。【解決手段】ＥＴＣシステムを利用して、有料道路を走行する車両内においてスクランブル処理が施された有料放送を受信する放送受信システムにおいて、有料道路の入口において、当該入口を通過する車両に搭載された放送受信端末装置に対して有料放送を受信するための鍵情報を送信し、有料道路の出口において、当該出口を通過する車両から有料放送を受信したかを確認する確認情報を取得することにより、当該車両の有料放送受信料金の課金処理を行ない、さらに放送受信端末装置内に保持された鍵情報の消去を行なう。【選択図】      図１
2007065738.tif 000002
【特許請求の範囲】
【請求項１】
有料道路の入口において、当該入口を通過する車両に対して有料放送を受信するための鍵情報を送信する鍵情報送信手段と、
前記有料道路の入口を通過する車両において、
前記鍵情報送信手段により送信された鍵情報を受信する鍵情報受信手段と、
この鍵情報受信手段により受信された鍵情報を用いて有料放送を受信する有料放送受信手段と、
前記有料道路の出口において、
前記有料道路の出口を通過する車両から有料放送を受信したか否かを示す確認情報を取得する確認情報取得手段と、
この確認情報取得手段により取得された確認情報が有料放送受信を示している場合、有料放送受信料金の課金処理を行なう課金処理手段と、
この課金処理手段による課金処理後、あるいは、前記確認情報取得手段により取得された確認情報が有料放送否受信を示している場合、前記有料道路の出口を通過する車両に対して鍵情報消去命令を送信する鍵情報消去命令送信手段と、
前記有料道路の出口を通過する車両において、
前記鍵情報消去命令送信手段により送信される鍵情報消去命令を受信する鍵情報消去命令受信手段と、
この鍵情報消去命令受信手段により鍵情報消去命令が受信されると、前記有料道路の入口を通過する際に前記鍵情報受信手段により受信された鍵情報を消去する鍵情報消去手段と、
を具備したことを特徴とする放送受信システム。
【請求項２】
前記鍵情報送信手段は、あらかじめ定められた有効時間情報を鍵情報とともに送信する機能を有し、
前記鍵情報消去手段は、前記鍵情報受信手段が鍵情報とともに前記有効時間情報を受信すると、その有効時間情報をタイマにセットして当該タイマの計時動作を開始させることで、当該有効時間内に前記鍵情報消去命令受信手段が鍵情報消去命令を受信しなかった場合、有効時間切れとして、前記有料道路の入口を通過する際に前記鍵情報受信手段により受信された鍵情報を消去することを特徴とする請求項１記載の放送受信システム。
【請求項３】
有料道路の入口において、当該入口を通過する車両に対して有料放送を受信するための鍵情報を送信する鍵情報送信ステップと、
前記有料道路の入口を通過する車両において、
前記鍵情報送信ステップにより送信された鍵情報を受信する鍵情報受信ステップと、
この鍵情報受信ステップにより受信された鍵情報を用いて有料放送を受信する有料放送受信ステップと、
前記有料道路の出口において、
前記有料道路の出口を通過する車両から有料放送を受信したか否かを示す確認情報を取得する確認情報取得ステップと、
この確認情報取得ステップにより取得された確認情報が有料放送受信を示している場合、有料放送受信料金の課金処理を行なう課金処理ステップと、
この課金処理ステップによる課金処理後、あるいは、前記確認情報取得ステップにより取得された確認情報が有料放送否受信を示している場合、前記有料道路の出口を通過する車両に対して鍵情報消去命令を送信する鍵情報消去命令送信ステップと、
前記有料道路の出口を通過する車両において、
前記鍵情報消去命令送信ステップにより送信される鍵情報消去命令を受信する鍵情報消去命令受信ステップと、
この鍵情報消去命令受信ステップにより鍵情報消去命令が受信されると、前記有料道路の入口を通過する際に前記鍵情報受信ステップにより受信された鍵情報を消去する鍵情報消去ステップと、
を具備したことを特徴とする放送受信方法。
【請求項４】
前記鍵情報送信ステップは、あらかじめ定められた有効時間情報を鍵情報とともに送信する機能を有し、
前記鍵情報消去ステップは、前記鍵情報受信ステップが鍵情報とともに前記有効時間情報を受信すると、その有効時間情報をタイマにセットして当該タイマの計時動作を開始させることで、当該有効時間内に前記鍵情報消去命令受信ステップが鍵情報消去命令を受信しなかった場合、有効時間切れとして、前記有料道路の入口を通過する際に前記鍵情報受信ステップにより受信された鍵情報を消去することを特徴とする請求項１記載の放送受信方法。
【請求項５】
有料道路の入口に設置され、当該入口を通過する車両との間で無線通信を行なう第１の無線通信装置と、前記車両に搭載され、有料放送を受信するための放送受信端末装置と、前記有料道路の出口に設置され、当該出口を通過する車両との間で無線通信を行なう第２の無線通信装置とを有して構成され、
前記第１の無線通信装置は、
前記有料道路の入口を通過する車両に搭載された前記受信端末装置に対して有料放送を受信するための鍵情報を送信する鍵情報送信手段を具備し、
前記受信端末装置は、
前記第１の無線通信装置の鍵情報送信手段により送信された鍵情報を受信する鍵情報受信手段と、
この鍵情報受信手段により受信された鍵情報を用いて有料放送を受信する有料放送受信手段とを具備し、
前記第２の無線通信装置は、
前記有料道路の出口を通過する車両に搭載された前記受信端末装置から有料放送を受信したか否かを示す確認情報を取得する確認情報取得手段と、
この確認情報取得手段により取得された確認情報が有料放送受信を示している場合、有料放送受信料金の課金処理を行なう課金処理手段と、
この課金処理手段による課金処理後、あるいは、前記確認情報取得手段により取得された確認情報が有料放送否受信を示している場合、前記有料道路の出口を通過する車両に対して鍵情報消去命令を送信する鍵情報消去命令送信手段とを具備し、
前記受信端末装置は、さらに、
前記第２の無線通信装置の鍵情報消去命令送信手段により送信される鍵情報消去命令を受信する鍵情報消去命令受信手段と、
この鍵情報消去命令受信手段により鍵情報消去命令が受信されると、前記有料道路の入口を通過する際に前記鍵情報受信手段により受信された鍵情報を消去する鍵情報消去手段とを具備したことを特徴とする放送受信システム。
【請求項６】
前記第１の無線通信装置の鍵情報送信手段は、あらかじめ定められた有効時間情報を鍵情報とともに送信する機能を有し、
前記受信端末装置は、前記鍵情報受信手段が鍵情報とともに前記有効時間情報を受信すると、その有効時間情報をタイマにセットして当該タイマの計時動作を開始させるタイマ制御手段をさらに具備し、
前記鍵情報消去手段は、前記タイマがセットされた有効時間を計時し終わるまでに前記鍵情報消去命令受信手段が鍵情報消去命令を受信しなかった場合、有効時間切れとして、前記有料道路の入口を通過する際に前記鍵情報受信手段により受信された鍵情報を消去することを特徴とする請求項５記載の放送受信システム。
【請求項７】
有料道路を走行する車両に搭載され、有料放送を受信するための放送受信端末装置であって、
前記有料道路の入口を通過する際、当該入口に設置された第１の無線通信装置から送信される有料放送を受信するための鍵情報を受信する鍵情報受信手段と、
この鍵情報受信手段により受信された鍵情報を用いて有料放送を受信する有料放送受信手段と、
前記有料道路の出口を通過する際、当該出口に設置された第２の無線通信装置から送信される確認情報要求命令を受信する確認情報要求命令受信手段と、
この確認情報要求命令受信手段により確認情報要求命令が受信されると、有料放送を受信したか否かを示す確認情報を前記第２の無線通信装置に対して送信する確認情報送信手段と、
前記有料道路の出口を通過する際、前記第２の無線通信装置から送信される鍵情報消去命令を受信する鍵情報消去命令受信手段と、
この鍵情報消去命令受信手段により鍵情報消去命令が受信されると、前記有料道路の入口を通過する際に前記鍵情報受信手段により受信された鍵情報を消去する第１の鍵情報消去手段と、
を具備したことを特徴とする放送受信端末装置。
【請求項８】
前記鍵情報受信手段が前記第１の無線通信装置から鍵情報とともに送信される有効時間情報を受信すると、その有効時間情報をタイマにセットして当該タイマの計時動作を開始させるタイマ制御手段をさらに具備し、
前記第１の鍵情報消去手段は、前記タイマがセットされた有効時間を計時し終わるまでに前記鍵情報消去命令受信手段が鍵情報消去命令を受信しなかった場合、有効時間切れとして、前記有料道路の入口を通過する際に前記鍵情報受信手段により受信された鍵情報を消去することを特徴とする請求項７記載の放送受信端末装置。
【請求項９】
車両に乗車した利用者が有料放送を受信するための有効期限付きの鍵情報を入力するための鍵情報入力手段と、
この鍵情報入力手段により有効期限付きの鍵情報が入力されると、当該有効期限内において当該鍵情報を用いて有料放送を受信可能な状態に前記有料放送受信手段を制御する受信制御手段と、
前記有効期限が経過すると、前記鍵情報入力手段により入力された有効期限付きの鍵情報を消去する第２の鍵情報消去手段と、
をさらに具備したことを特徴とする請求項７記載の放送受信端末装置。
【請求項１０】
前記有効期限付きの鍵情報は、有料道路の走行中にサービスエリアなどの店舗を利用した際に当該店舗から発行されたレシートに記載されていることを特徴とする請求項９記載の放送受信端末装置。
【請求項１１】
有料道路あるいは有料施設に入る車両に対して所定の暗号化された放送の映像あるいは音声の少なくともいずれか一方を視聴可能とする鍵情報を送信する鍵情報送信手段と、
前記有料道路あるいは有料施設から出る車両に対して前記鍵情報の消去を意味する命令を送信する鍵情報消去命令送信手段と、
前記鍵情報にて暗号化された映像、文字あるいは音声の少なくともいずれか一方を放送する放送手段と、
車両に搭載され、前記鍵情報送信手段から送信される鍵情報を受信し当該鍵情報を記憶させる鍵情報受信処理手段と、
車両に搭載され、前記鍵情報受信処理手段が記憶させた鍵情報を用いて暗号化させた前記放送を視聴可能とする暗号解除手段と、
車両に搭載され、前記暗号解除手段が視聴可能とした放送を出力する視聴手段と、
車両に搭載され、前記鍵情報消去命令送信手段から送信される命令にしたがい記憶された前記鍵情報を消去する鍵情報消去命令受信処理手段と、
を具備したことを特徴とする放送システム。
【請求項１２】
所定の暗号化された放送を、有料道路あるいは有料施設を利用する車両にて視聴可能とする放送システムにおいて、
有料道路あるいは有料施設に入る車両に対して所定の暗号化された放送の映像あるいは音声の少なくともいずれか一方を視聴可能とする鍵情報を送信する鍵情報送信手段と、
前記有料道路あるいは有料施設から出る車両に対して前記鍵情報の消去を意味する命令を送信する鍵情報消去命令送信手段と、
を具備したことを特徴とする放送システム。
【請求項１３】
所定の暗号化された放送を、有料道路あるいは有料施設を利用する車両にて視聴可能とする放送システムにおいて、
車両に搭載され、有料道路あるいは有料施設に入る車両に対して送信される所定の暗号化された放送の映像あるいは音声の少なくともいずれか一方を視聴可能とする鍵情報を受信し当該鍵情報を記憶させる鍵情報受信処理手段と、
車両に搭載され、前記鍵情報受信処理手段が記憶させた鍵情報を用いて暗号化させた前記放送を視聴可能とする暗号解除手段と、
車両に搭載され、前記有料道路あるいは有料施設から出る車両に対して送信される鍵情報消去命令にしたがい記憶された前記鍵情報を消去する鍵情報消去命令受信処理手段と、
を具備したことを特徴とする放送システム。
【請求項１４】
所定の暗号化された放送を、有料道路あるいは有料施設を利用する車両にて視聴可能とする放送システムの車載器において、
有料道路あるいは有料施設を利用する車両に対して送信される所定の暗号化された放送の映像あるいは音声の少なくともいずれか一方を視聴可能とする鍵情報を記憶する記憶媒体と、
車両に搭載され、前記記憶媒体が記憶する鍵情報を用いて暗号化させた前記放送を視聴可能とする暗号解除手段と、
を具備したことを特徴とする車載器。
【請求項１５】
所定の暗号化された放送を、有料道路あるいは有料施設を利用する車両の車載器にて視聴可能とする放送システムにおける当該車載器に用いられる記憶媒体であって、
有料道路あるいは有料施設を利用する車両に対して送信される所定の暗号化された放送の映像あるいは音声の少なくともいずれか一方を視聴可能とする鍵情報を記憶する記憶部と、
前記鍵情報を前記車載器に送信し、暗号化された放送を受信する前記車載器にて視聴可能とせしめる送信部と、
を具備したことを特徴とする記憶媒体。
【請求項１６】
所定の暗号化された放送を、有料道路あるいは有料施設を利用する車両の車載器にて視聴可能とする放送システムにおける当該車載器に用いられる記憶媒体の処理装置であって、
有料道路あるいは有料施設を利用する車両に対して送信される所定の暗号化された放送の映像あるいは音声の少なくともいずれか一方を視聴可能とする鍵情報を車載器に用いられる記憶媒体に記憶させる書込手段を備え、
前記鍵情報を記憶した当該記憶媒体から鍵情報を車載器に送信させることにより、暗号化された放送を前記車載器にて視聴可能とせしめることを特徴とする記憶媒体処理装置。
【発明の詳細な説明】
【技術分野】
【０００１】
本発明は、たとえば、ＥＴＣシステム（ノンストップ自動料金収受システム）を利用して、有料道路、ドライブシアタ、駐車場等の特定施設に入場した車両内において暗号化（スクランブル処理）が施された放送を受信する放送受信システムおよび放送受信方法に関する。
【０００２】
また、本発明は、上記放送受信システムおよび放送受信方法に用いられる放送受信端末装置に関する。
【背景技術】
【０００３】
スクランブル処理が施された有料放送を受信する放送受信システムは公知である（たとえば、特許文献１参照）。  
この公知技術は、視聴者が放送事業者と月額定額支払いの契約をすることなく、視聴（受信）したいときに携帯電話機などの携帯端末装置で、有料放送を視聴するためのデコード情報（鍵情報）を取得すると同時に、視聴料金の決済を行なうものである。
【特許文献１】特開２００３−３２６５９号公報
【発明の開示】
【発明が解決しようとする課題】
【０００４】
上記した公知技術には以下のような問題がある。
【０００５】
（１）有料道路を走行する車両（自動車）に対する特定区間（エリア）での視聴サービスに対応が難しい。
【０００６】
（２）利用者が有料放送番組を視聴するために１番組ごとに携帯電話機を操作し、利用者ＩＤや番組ＩＤを入力してデコード情報を取得するのは効率的でない。
【０００７】
（３）デコード情報を取得した時点で課金されてしまうので、利用者の都合で番組を視聴しなかった場合でも課金されることとなり、損失感がある。
【０００８】
（４）携帯電話機の受信圏外では有料放送サービスの利用ができない。
【０００９】
そこで、本発明は、たとえば、有料道路を走行する車両に乗車した利用者や有料道路の特定エリアのみ等の特定施設で有料放送サービスを視聴できる放送受信システム、放送受信方法および放送受信端末装置を提供することを目的とする。
【課題を解決するための手段】
【００１０】
本発明の放送受信システムは、有料道路の入口において、当該入口を通過する車両に対して有料放送を受信するための鍵情報を送信する鍵情報送信手段と、前記有料道路の入口を通過する車両において、前記鍵情報送信手段により送信された鍵情報を受信する鍵情報受信手段と、この鍵情報受信手段により受信された鍵情報を用いて有料放送を受信する有料放送受信手段と、前記有料道路の出口において、前記有料道路の出口を通過する車両から有料放送を受信したか否かを示す確認情報を取得する確認情報取得手段と、この確認情報取得手段により取得された確認情報が有料放送受信を示している場合、有料放送受信料金の課金処理を行なう課金処理手段と、この課金処理手段による課金処理後、あるいは、前記確認情報取得手段により取得された確認情報が有料放送否受信を示している場合、前記有料道路の出口を通過する車両に対して鍵情報消去命令を送信する鍵情報消去命令送信手段と、前記有料道路の出口を通過する車両において、前記鍵情報消去命令送信手段により送信される鍵情報消去命令を受信する鍵情報消去命令受信手段と、この鍵情報消去命令受信手段により鍵情報消去命令が受信されると、前記有料道路の入口を通過する際に前記鍵情報受信手段により受信された鍵情報を消去する鍵情報消去手段とを具備している。
【００１１】
また、本発明の放送受信方法は、有料道路の入口において、当該入口を通過する車両に対して有料放送を受信するための鍵情報を送信する鍵情報送信ステップと、前記有料道路の入口を通過する車両において、前記鍵情報送信ステップにより送信された鍵情報を受信する鍵情報受信ステップと、この鍵情報受信ステップにより受信された鍵情報を用いて有料放送を受信する有料放送受信ステップと、前記有料道路の出口において、前記有料道路の出口を通過する車両から有料放送を受信したか否かを示す確認情報を取得する確認情報取得ステップと、この確認情報取得ステップにより取得された確認情報が有料放送受信を示している場合、有料放送受信料金の課金処理を行なう課金処理ステップと、この課金処理ステップによる課金処理後、あるいは、前記確認情報取得ステップにより取得された確認情報が有料放送否受信を示している場合、前記有料道路の出口を通過する車両に対して鍵情報消去命令を送信する鍵情報消去命令送信ステップと、前記有料道路の出口を通過する車両において、前記鍵情報消去命令送信ステップにより送信される鍵情報消去命令を受信する鍵情報消去命令受信ステップと、この鍵情報消去命令受信ステップにより鍵情報消去命令が受信されると、前記有料道路の入口を通過する際に前記鍵情報受信ステップにより受信された鍵情報を消去する鍵情報消去ステップとを具備している。
【００１２】
また、本発明の放送受信端末装置は、有料道路を走行する車両に搭載され、有料放送を受信するための放送受信端末装置であって、前記有料道路の入口を通過する際、当該入口に設置された第１の無線通信装置から送信される有料放送を受信するための鍵情報を受信する鍵情報受信手段と、この鍵情報受信手段により受信された鍵情報を用いて有料放送を受信する有料放送受信手段と、前記有料道路の出口を通過する際、当該出口に設置された第２の無線通信装置から送信される確認情報要求命令を受信する確認情報要求命令受信手段と、この確認情報要求命令受信手段により確認情報要求命令が受信されると、有料放送を受信したか否かを示す確認情報を前記第２の無線通信装置に対して送信する確認情報送信手段と、前記有料道路の出口を通過する際、前記第２の無線通信装置から送信される鍵情報消去命令を受信する鍵情報消去命令受信手段と、この鍵情報消去命令受信手段により鍵情報消去命令が受信されると、前記有料道路の入口を通過する際に前記鍵情報受信手段により受信された鍵情報を消去する第１の鍵情報消去手段とを具備している。
【００１３】
また、本発明の放送システムは、有料道路あるいは有料施設に入る車両に対して所定の暗号化された放送の映像あるいは音声の少なくともいずれか一方を視聴可能とする鍵情報を送信する鍵情報送信手段と、前記有料道路あるいは有料施設から出る車両に対して前記鍵情報の消去を意味する命令を送信する鍵情報消去命令送信手段と、前記鍵情報にて暗号化された映像、文字あるいは音声の少なくともいずれか一方を放送する放送手段と、車両に搭載され、前記鍵情報送信手段から送信される鍵情報を受信し当該鍵情報を記憶させる鍵情報受信処理手段と、車両に搭載され、前記鍵情報受信処理手段が記憶させた鍵情報を用いて暗号化させた前記放送を視聴可能とする暗号解除手段と、車両に搭載され、前記暗号解除手段が視聴可能とした放送を出力する視聴手段と、車両に搭載され、前記鍵情報消去命令送信手段から送信される命令にしたがい記憶された前記鍵情報を消去する鍵情報消去命令受信処理手段とを具備している。
【００１４】
また、本発明の車載器は、所定の暗号化された放送を、有料道路あるいは有料施設を利用する車両にて視聴可能とする放送システムの車載器において、有料道路あるいは有料施設を利用する車両に対して送信される所定の暗号化された放送の映像あるいは音声の少なくともいずれか一方を視聴可能とする鍵情報を記憶する記憶媒体と、車両に搭載され、前記記憶媒体が記憶する鍵情報を用いて暗号化させた前記放送を視聴可能とする暗号解除手段とを具備している。
【００１５】
また、本発明の記憶媒体は、所定の暗号化された放送を、有料道路あるいは有料施設を利用する車両の車載器にて視聴可能とする放送システムにおける当該車載器に用いられる記憶媒体であって、有料道路あるいは有料施設を利用する車両に対して送信される所定の暗号化された放送の映像あるいは音声の少なくともいずれか一方を視聴可能とする鍵情報を記憶する記憶部と、前記鍵情報を前記車載器に送信し、暗号化された放送を受信する前記車載器にて視聴可能とせしめる送信部とを具備している。
【００１６】
さらに、本発明の記憶媒体処理装置は、所定の暗号化された放送を、有料道路あるいは有料施設を利用する車両の車載器にて視聴可能とする放送システムにおける当該車載器に用いられる記憶媒体の処理装置であって、有料道路あるいは有料施設を利用する車両に対して送信される所定の暗号化された放送の映像あるいは音声の少なくともいずれか一方を視聴可能とする鍵情報を車載器に用いられる記憶媒体に記憶させる書込手段を備え、前記鍵情報を記憶した当該記憶媒体から鍵情報を車載器に送信させることにより、暗号化された放送を前記車載器にて視聴可能とせしめることを特徴とする。
【発明の効果】
【００１７】
本発明によれば、たとえば、有料道路を走行する車両に乗車した利用者や有料道路の特定エリアのみ等の特定施設で有料放送サービスを視聴できる放送受信システム、放送受信方法および放送受信端末装置を提供できる。
【発明を実施するための最良の形態】
【００１８】
以下、本発明の実施の形態について図面を参照して説明する。  
図１は、本発明の実施の形態に係る放送受信システム、放送受信方法および放送受信端末装置が適用されるＥＴＣシステム（ノンストップ自動料金収受システム）の構成を模式的に示すものである。
【００１９】
図１において、高速道路などの有料道路１の入口料金所２および出口料金所３には、第１の無線通信装置としての入口路側無線装置４および第２の無線通信装置としての出口路側無線装置５がそれぞれ設置されている。入口路側無線装置４は、入口料金所２を通過する車両６に搭載されたＥＴＣ（ＤＳＲＣ）車載器を兼ねた放送受信端末装置７との間で無線通信を行なうことにより後述するような各種処理を行なう。出口路側無線装置５は、出口料金所３を通過する車両６に搭載された放送受信端末装置（車載器）７との間で無線通信を行なうことにより後述するような各種処理を行なう。
【００２０】
放送受信端末装置７は、周知の有料道路利用料金の収受処理を行なうとともに、入口路側無線装置４から送信される鍵情報を受取ることにより、当該鍵情報を用いて、放送局８からスクランブル（暗号化）放送されている有料放送（情報）サービス（映像、音声、音楽、文字情報など）を受信して視聴するものである。
【００２１】
入口路側無線装置４および出口路側無線装置５は、それぞれ料金決済サーバ９に接続されている。料金決済サーバ９は、有料道路利用料金や有料放送受信料金の決済処理を行なう。
【００２２】
図２は、放送受信端末装置７の構成を模式的に示すものである。放送受信端末装置７は、路側無線装置４，５とＤＳＲＣ通信を行なう機能、および、料金決済用ＩＣカード（クレジットカード）１１の情報を読み書きする機能を持つ端末装置本体１２、有料放送を受信するためのデコーダを具備する放送受信端末部１３を有して構成されていて、端末装置本体１２と放送受信端末部１３とは接続ケーブル１４により接続されている。
【００２３】
端末装置本体１２は、料金所通過時に路側無線装置４，５とＤＳＲＣ通信を行ない、路側無線装置４，５からの指示にしたがい、料金決済用ＩＣカード１１の情報を読出して路側無線装置４，５に通知したり、路側無線装置４，５からの情報を料金決済用ＩＣカード１１に書込む処理等を行なう。また、有料放送（情報）を受信するための鍵情報を受信した場合は、その鍵情報を放送受信端末部１３に通信ケーブル１４を経由して設定する。
【００２４】
放送受信端末部１３は、たとえば、テレビ、ラジオ、文字放送、音楽など、複数のメディアを受信（視聴・再生）する機能を持ち、通常時は一般の無料放送サービスを受信することが可能である。
【００２５】
放送受信端末部１３は、端末装置本体１２から有料放送（情報）サービスを視聴するための鍵情報を受取ると、当該鍵情報をスクランブル（暗号化）解除用のデコーダに設定することで、有料放送（情報）サービスを受信し、表示部１５に表示するなどの機能を具備している。
【００２６】
また、放送受信端末部１３は、操作ボタン１６および有料放送（情報）サービスが受信可能であることを知らせる有料放送受信可能表示器１７を具備していて、利用者が一目で確認できる機能を持つ。なお、音声ガイドで知らせる機能を具備してもよい。
【００２７】
利用者は、有料放送（情報）サービスが受信可能であることを確認した後、放送受信端末部１３が具備している操作ボタン１６により視聴したい番組メニューを選択して視聴する。このとき、放送受信端末部１３は、利用者が有料放送（情報）サービスを視聴したことを確認するための確認情報を端末装置本体１２に送り、端末装置本体１２は、料金決済に備えて当該確認情報を保持しておく機能を具備している。
【００２８】
次に、このような構成において、入口料金所２における処理について図３に示すフローチャートを参照して説明する。  
有料道路１を利用する利用者は、自身の車両６に放送受信端末装置７を搭載して有料道路１を走行するものとする。
【００２９】
放送受信端末装置７を搭載した車両６が入口料金所２に進入し、入口路側無線装置４が当該車両６の進入を検知すると（ステップＳ１）、入口路側無線装置４は、車両６に搭載された放送受信端末装置７とＤＳＲＣによる無線通信を行なうことにより（ステップＳ２）、車載器情報（料金決済用ＩＣカード１１の情報（個人情報等））を取得（受信）する（ステップＳ３）。
【００３０】
次に、入口路側無線装置４は、当該入口料金所２が均一料金方式であるか対距離方式（従量制）であるかを判断し（ステップＳ４）、均一料金方式の場合、放送受信端末装置７から取得した情報により料金決済用ＩＣカード１１がセットされているか否かを判定し（ステップＳ５）、料金決済用ＩＣカード１１がセットされていない場合、車両６内の利用者に対し通行料金手払いへ誘導する案内を行ない（ステップＳ６）、ステップＳ１に戻る。
【００３１】
ステップＳ５において料金決済用ＩＣカード１１がセットされている場合、入口路側無線装置４は、放送受信端末装置７の料金決済用ＩＣカード１１に対して入口通過情報を書込む処理を行なうとともに、通行料金の課金処理を行なう（ステップＳ７）。
【００３２】
次に、入口路側無線装置４は、有料放送（情報）サービスを受信（視聴）するための鍵情報、および、当該鍵情報の有効時間（有効期限）を示す有効時間情報を放送受信端末装置７へ送信するとともに（ステップＳ８）、このときの利用者情報を料金決済サーバ９へ送信し（ステップＳ９）、ステップＳ１に戻る。
【００３３】
ステップＳ４における判断の結果、対距離方式（従量制）の場合、入口路側無線装置４は、放送受信端末装置７から取得した情報により料金決済用ＩＣカード１１がセットされているか否かを判定し（ステップＳ１０）、料金決済用ＩＣカード１１がセットされていない場合、車両６内の利用者に対し入口切符を受取るように誘導する案内を行ない（ステップＳ１１）、ステップＳ１に戻る。
【００３４】
ステップＳ１０において料金決済用ＩＣカード１１がセットされている場合、入口路側無線装置４は、放送受信端末装置７の料金決済用ＩＣカード１１に対して入口通過情報を書込む処理を行なう（ステップＳ１２）。
【００３５】
次に、入口路側無線装置４は、有料放送（情報）サービスを受信（視聴）するための鍵情報、および、当該鍵情報の有効時間（有効期限）を示す有効時間情報を放送受信端末装置７へ送信するとともに（ステップＳ８）、このときの利用者情報を料金決済サーバ９へ送信し（ステップＳ９）、ステップＳ１に戻る。
【００３６】
車両６内の利用者は、入口路側無線装置４から送信された鍵情報を放送受信端末装置７で受取ることにより、入口料金所２を通過した直後から、放送局８からスクランブル（暗号化）放送されている有料放送（情報）サービス（映像、音声、音楽、文字情報など）を受信して視聴することが可能となる。
【００３７】
次に、出口料金所３における処理について図４に示すフローチャートを参照して説明する。  
放送受信端末装置７を搭載した車両６が出口料金所３に進入し、出口路側無線装置５が当該車両６の進入を検知すると（ステップＳ２１）、出口路側無線装置５は、車両６に搭載された放送受信端末装置７とＤＳＲＣによる無線通信を行なうことにより（ステップＳ２２）、車載器情報（料金決済用ＩＣカード１１の情報（個人情報、入口通過情報等））を取得（受信）する（ステップＳ２３）。
【００３８】
次に、出口路側無線装置５は、通行料金が均一料金方式であるか対距離方式（従量制）であるかを判断し（ステップＳ２４）、均一料金方式の場合、放送受信端末装置７から取得した情報により料金決済用ＩＣカード１１がセットされているか否かを判定し（ステップＳ２５）、料金決済用ＩＣカード１１がセットされていない場合、ステップＳ２１に戻る。
【００３９】
ステップＳ２５において料金決済用ＩＣカード１１がセットされている場合、出口路側無線装置５は、放送受信端末装置７の料金決済用ＩＣカード１１に対して出口通過情報を書込む処理を行なう（ステップＳ２６）。すなわち、均一料金方式の場合は、入口料金所２で既に課金済みであるので、課金処理は行なわない。
【００４０】
ステップＳ２４における判断の結果、対距離方式（従量制）の場合、出口路側無線装置５は、放送受信端末装置７から取得した情報により料金決済用ＩＣカード１１がセットされているか否かを判定し（ステップＳ２７）、料金決済用ＩＣカード１１がセットされていない場合、車両６内の利用者に対し通行料金手払いへ誘導する案内を行ない（ステップＳ２８）、ステップＳ２１に戻る。
【００４１】
ステップＳ２７において料金決済用ＩＣカード１１がセットされている場合、出口路側無線装置５は、放送受信端末装置７から取得した情報により出口料金所３までの通行料金を計算して課金処理を行ない（ステップＳ２９）、ステップＳ２６に進む。
【００４２】
ステップＳ２６の処理が終了すると、出口路側無線装置５は、放送受信端末装置７から有料放送サービスを視聴したかどうかの確認情報を読出して、利用者が有料放送（情報）サービスを視聴していたかを判断し（ステップＳ３０）、視聴していた場合は、有料放送視聴料金の課金処理を行なう（ステップＳ３１）。
【００４３】
次に、出口路側無線装置５は、放送受信端末装置７に対して有料放送（情報）サービスの鍵情報を消去する鍵情報消去命令を送信する（ステップＳ３２）。放送受信端末装置７は、当該鍵情報消去命令を受取ることにより、保持している鍵情報を消去し、有料放送（情報）サービスの視聴を終了する。
【００４４】
これらの通信処理が終了すると、出口路側無線装置５は、このときの利用者情報を料金決済サーバ９へ送信し（ステップＳ３３）、ステップＳ２１に戻る。料金決済サーバ９は、入口路側無線装置４および出口路側無線装置５から送信された利用者情報に基づき、通行料金および有料放送視聴料金の決済処理を行なう。
【００４５】
次に、放送受信端末装置７における処理について図５に示すフローチャートを参照して説明する。  
放送受信端末装置７を搭載した車両６が料金所２（３）に進入し、端末装置本体１２が路側無線装置４（５）を検知すると（ステップＳ４１）、端末装置本体１２は、路側無線装置４（５）とＤＳＲＣによる無線通信を行なうことにより（ステップＳ４２）、車載器情報（料金決済用ＩＣカード１１の情報等）を路側無線装置４（５）に送信する（ステップＳ４３）。
【００４６】
次に、端末装置本体１２は、料金決済用ＩＣカード１１がセットされているか否かを判定し（ステップＳ４４）、料金決済用ＩＣカード１１がセットされていない場合、放送受信端末部１３の表示部１５に通行料金手払いへ誘導する案内を表示し（ステップＳ４５）、ステップＳ４１に戻る。
【００４７】
ステップＳ４４において料金決済用ＩＣカード１１がセットされている場合、端末装置本体１２は、路側無線装置４（５）から送信される入口（出口）通過情報、課金情報および鍵情報の受信処理を行なう（ステップＳ４６）。次に、端末装置本体１２は、受信した入口（出口）通過情報および課金情報を料金決済用ＩＣカード１１に書込む処理を行なう（ステップＳ４７）。
【００４８】
次に、端末装置本体１２は、鍵情報を受信したか、鍵情報消去命令を受信したか、何も受信しなかったかを判断し（ステップＳ４８）、鍵情報を受信した場合、入口料金所２での処理であるので、当該鍵情報およびそれとともに受信した有効時間情報を料金決済用ＩＣカード１１に書込む（ステップＳ４９）。
【００４９】
次に、端末装置本体１２は、受信した有効時間情報を計時用タイマ（図示しない）にセットして当該タイマの計時動作を開始させる（ステップＳ５０）。次に、端末装置本体１２は、受信した鍵情報を放送受信端末部１３へ送信し（ステップＳ５１）、ステップＳ４１に戻る。
【００５０】
放送受信端末部１３は、端末装置本体１２から有料放送（情報）サービスを視聴するための鍵情報を受取ると、有料放送受信可能表示器１７を点灯させるとともに、当該鍵情報をスクランブル（暗号化）解除用のデコーダに設定することで、有料放送（情報）サービスを受信可能な状態に設定する。
【００５１】
ここで、利用者は、有料放送（情報）サービスが受信可能であることを確認した後、放送受信端末部１３の操作ボタン１６により視聴したい番組メニューを選択して視聴する。このとき、放送受信端末部１３は、利用者が有料放送（情報）サービスを視聴したことを確認するための確認情報を端末装置本体１２に送る。端末装置本体１２は、放送受信端末部１３から送られた確認情報を料金決済に備えて保持しておく。
【００５２】
ステップＳ４８における判断の結果、鍵情報消去命令を受信した場合、出口料金所３での処理であるので、保持してある鍵情報を消去し（ステップＳ５２）、ステップＳ４１に戻る。
【００５３】
ステップＳ４１において、端末装置本体１２が路側無線装置４（５）を検知しなかった場合、鍵情報を保持しているか否かを判定し（ステップＳ５３）、鍵情報を保持していない場合はステップＳ４１に戻る。
【００５４】
ステップＳ５３における判定の結果、鍵情報を保持している場合、あるいは、ステップＳ４８における判断の結果、何も受信していない場合、端末装置本体１２は、ステップＳ５０で動作を開始した計時用タイマ（図示しない）がセットされた有効時間を計時し終わったか否かをチェックし（ステップＳ５４）、有効時間を計時し終わっていなければステップＳ４１に戻り、有効時間を計時し終わっていれば有効時間切れとして、保持してある鍵情報を消去し（ステップＳ５２）、ステップＳ４１に戻る。
【００５５】
すなわち、万一、出口料金所３で鍵情報消去命令のやり取りが失敗した場合、そのままでは、利用者が次に有料道路を通行するまで、有料放送（情報）サービスの視聴ができてしまう恐れがある。これを防止する手段として、放送受信端末装置７は、入口料金所２で鍵情報を受取って保存する際に、事業者があらかじめ定めた任意の有効時間情報を同時に受取って保存し、内蔵している計時用タイマをスタートさせる。この有効時間内に鍵情報消去命令を受取れなかった場合は、有効時間（有効期限）切れとして、保持してある鍵情報を消去するものである。
【００５６】
なお、次に説明する機能を追加することにより、放送受信端末部１３単体で有料放送（情報）サービスの視聴を可能とすることもできる。以下、それについて詳細に説明する。
【００５７】
たとえば、車両６に乗車した利用者が、有料道路１の通行途中にサービスエリアなどの店舗で飲食あるいは買物をした場合、図６に示すように、店舗で料金支払い時に発行するレシート２１に、有料放送事業者があらかじめ定める制限（有効期限）付のサービスコード（鍵情報）２２を添付（印刷）する。
【００５８】
利用者は、このレシート２１上のサービスコード２２を、放送受信端末部１３が具備する操作ボタン１６を操作して入力することにより、特定の有料放送（情報）サービスの視聴が可能とする。  
すなわち、前述同様な考えで、鍵情報としてのサービスコード２２が入力されると、有料放送受信可能表示器１７を点灯させるとともに、当該サービスコード２２を表示部１５に表示（符号２３がその表示部分）するとともに、スクランブル（暗号化）解除用のデコーダに設定することで、有料放送（情報）サービスを受信可能な状態に設定するものであり、これ以降は前述同様である。
【００５９】
この場合、有料放送事業者は、有効時間制限あるいはサービスコードに基づく番組視聴制限を付け、有効時間の期間中あるいはサービスコードが有効である番組についてのみ、有料放送受信可能表示器１７で表示する。
【００６０】
以下、放送受信端末部１３単体での有料放送（情報）サービスの視聴について図７に示すフローチャートを参照して説明する。  
たとえば、利用者がサービスエリアなどの店舗で飲食あるいは買物をした場合（ステップＳ６１）、図６に示すような制限（有効期限）付のサービスコード（鍵情報）２２を添付（印刷）したレシート２１が発行される（ステップＳ６２）。
【００６１】
利用者は、このレシート２１上のサービスコード２２を操作ボタン１６を操作して入力する（ステップＳ６３）。すると、入力されたサービスコード２２をチェックし（ステップＳ６４）、異常コードであれば入力誤りを表示部１５に表示し（ステップＳ６５）、ステップＳ６３に戻る。
【００６２】
ステップＳ６４におけるチェックの結果、正常コードであれば、入力されたサービスコード２２で決定される所定の有効時間を図示しない有効時間タイマにセットし、当該タイマの計時動作を開始する（ステップＳ６６）。  
利用者は、有料放送（情報）サービスが受信可能であることを確認した後、操作ボタン１６により視聴したい番組メニューを選択して視聴する（ステップＳ６７，Ｓ６８）。
【００６３】
次に、ステップＳ６６で動作を開始した有効時間タイマ（図示しない）がセットされた有効時間を計時し終わったか否かをチェックし（ステップＳ６９）、有効時間を計時し終わっていなければステップＳ６７に戻り、有効時間を計時し終わっていれば有効時間切れとして、有料放送（情報）サービスの視聴を停止するとともに、保持してある鍵情報としてのサービスコード２２を消去し（ステップＳ７０）、有料放送受信処理を終了する。
【００６４】
このような実施の形態によれば、たとえば、利用者が放送受信端末部１３のみを所持しており、料金決済用ＩＣカード１１および端末装置本体１２を所持していない場合でも、制限付の有料放送（情報）サービスの視聴が可能になり、極めて便利なものとなる。
【００６５】
なお、上記説明では、レシート２１上のサービスコード２２を操作ボタン１６の操作により利用者が手入力する場合について説明したが、たとえば、放送受信端末部１３に光学的なスキャナを設け、このスキャナにレシート２１をセットすることで、レシート２１上のサービスコード２２を読取って自動的に入力するようにしてもよい。
【００６６】
以上説明したように、上記実施の形態によれば、ＥＴＣシステム（ノンストップ自動料金収受システム）に、有料放送視聴用鍵情報の配信および視聴料金決裁処理を混合したシステム構成とすることにより、有料道路を走行する車両に乗車した利用者および有料道路の特定エリアのみで有料放送サービスを視聴（受信）できる。
【００６７】
また、車載器の料金決済用ＩＣカード（クレジットカード）に登録されている個人情報等で有料放送受信料金の決済処理を行なうので、利用者がその都度、利用者ＩＤや番組ＩＤを入力してデコード情報を取得する方法に比べ、ＩＤ等を入力する必要がなく、非常に効率的である。
【００６８】
また、有料放送視聴用の鍵情報を受信しても、有料放送を視聴しなかった場合は課金処理されないので、利用者には利点がある。  
また、各料金所に必ず路側無線装置が設置され、車両の通過時に通信するので、携帯電話機のように電波圏外を心配する必要がない。
【００６９】
さらに、放送受信端末部のみ所有の利用者で、サービスエリアの売店で商品の購入あるいは飲食した場合のレシートに制限付鍵情報を付与することにより、放送受信端末部に制限付鍵情報を入力すれば、有料放送の視聴サービスが受けられる。
【００７０】
なお、前記実施の形態では、高速道路などの有料道路を利用した際の放送受信（サービス提供）について説明しているが、本発明はこれに限定されるものでなく、たとえば、高速道路のサービスエリア、特定駐車場やドライブシアタなどの特定施設で放送受信（サービス提供）する形態も実施可能である。
【００７１】
以下、たとえば、ドライブシアタなどの特定施設で放送受信する実施の形態について説明する。放送の送信側システムの構成は図１、車両の車載器（受信側）の構成は図２と同様で実現できる。
【００７２】
放送受信端末装置７を搭載した車両６がドライブシアタの入口（料金所）に進入すると、入口に設置される入口路側無線装置４の鍵情報送信手段が車両の放送受信端末装置７に無線通信にて鍵情報を送信する。
【００７３】
車両６の放送受信端末装置７は、鍵情報受信処理手段、暗号解除手段および鍵情報消去命令受信処理手段を備える。ここで、鍵情報とは、暗号化（スクランブル）された放送（映像、文字あるいは音声の少なくともいずれか１つ）を視聴可能にするために、この暗号を解除するための情報（コードデータ）を指す。
【００７４】
鍵情報受信処理手段は、入口路側無線装置４の鍵情報送信手段からの鍵情報を受信し、放送受信端末装置７の記憶部に記憶させる。記憶部は、端末装置本体１２またはＩＣカード１１の場合がありえる。
【００７５】
放送受信端末部１３にて放送を視聴する際、暗号解除手段は受信した暗号化された放送を前記記憶部に記憶された鍵情報を用いて視聴可能に処理する。図２のように入口路側無線装置４と無線通信する端末装置本体１１と、放送を視聴する放送受信端末部１３（視聴手段）とが別構成の場合、放送受信端末部１３側に放送受信手段および前記暗号解除手段を備える構成としてもよい。
【００７６】
そして、放送受信端末装置７を搭載した車両６がドライブシアタの出口に進入すると、出口に設置される出口路側無線装置５の鍵情報消去命令送信手段が車両６の放送受信端末装置７に無線通信にて鍵情報消去命令を送信する。鍵情報消去命令受信処理手段は、鍵情報消去命令送信手段から送信される命令にしたがい記憶された前記鍵情報を消去する。
【００７７】
なお、前述した高速道路に対する実施の形態のように、鍵情報に鍵情報有効時間情報を持たせる構成とし、本実施の形態の鍵情報消去命令送信手段および鍵情報消去命令受信処理手段を割愛した構成としてもよい。
【００７８】
次に、たとえば、ドライブシアタなどの特定施設で放送受信する他の実施の形態について説明する。  
上記実施の形態では、鍵情報を施設入口にて道路側装置から無線通信にて受信する形態を説明したが、本実施の形態では、車両搭載の端末装置本体１２に挿入されるＩＣカード（端末装置本体１２にデータを転送するための記憶媒体）に鍵情報を記憶する実施の形態を説明する。
【００７９】
すなわち、特定施設の車両入口のみならず、サービスエリアの売店横などに設置され記憶媒体に情報、すなわち鍵情報を書込むライタ装置、あるいは、インターネットや電話回線などのネットワークを利用して鍵情報を書込むライタ装置として機能する端末装置を用いて、車両搭載の端末装置本体１２に挿入されるＩＣカード（端末装置本体１２にデータを転送するための記憶媒体）に鍵情報を記憶させる記憶媒体処理装置を設けるものとする。
【００８０】
このような記憶媒体処理装置を用いてＩＣカード１１に鍵情報を記憶し、そのＩＣカード１１を車両搭載の端末装置本体１２に挿入し、この鍵情報を用いて暗号化された放送を視聴可能とし視聴するものである。
【００８１】
また、上記２つのドライブシアタの実施の形態においての料金収受処理は、前述した高速道路に対する実施の形態の高速道路利用時の処理を組合わせて実施することとする。
【図面の簡単な説明】
【００８２】
【図１】本発明の実施の形態に係る放送受信システム、放送受信方法および放送受信端末装置が適用されるＥＴＣシステムの構成を概略的に示す模式図。
【図２】放送受信端末装置の構成を概略的に示す模式図。
【図３】入口料金所における処理を説明するフローチャート。
【図４】出口料金所における処理を説明するフローチャート。
【図５】放送受信端末装置における処理を説明するフローチャート。
【図６】放送受信端末部の他の構成例を概略的に示す模式図。
【図７】放送受信端末部単体での有料放送サービスの視聴について説明するフローチャート。
【符号の説明】
【００８３】
１…有料道路、２…入口料金所、３…出口料金所、４…入口路側無線装置（第１の無線通信装置）、５…出口路側無線装置（第２の無線通信装置）、６…車両、７…放送受信端末装置、８…放送局、９…料金決済サーバ、１１…料金決済用ＩＣカード（クレジットカード）、１２…端末装置本体、１３…放送受信端末部、１５…表示部、１６…操作ボタン、１７…有料放送受信可能表示器、２１…レシート、２２…サービスコード（鍵情報）。
【図１】
2007065738.tif 000003
【図２】
2007065738.tif 000004
【図３】
2007065738.tif 000005
【図４】
2007065738.tif 000006
【図５】
2007065738.tif 000007
【図６】
2007065738.tif 000008
【図７】
2007065738.tif 000009